(57)【要約】【課題】外部から防犯システムの存在がわからず破壊されることがなく、信頼性を格段に向上し、しかも建築デザイン上の制約がない。【解決手段】この防犯システム１は、人が出入りする扉１１のロック装置２と、このロック装置２をキーの情報に基づき施解錠する解錠手段３と、扉１１の近傍に外部に露出しないように設けられキーの情報を読み取る情報読取センサ４と、このキーの情報の読み取りに基づき解錠手段３を制御してロック装置２の施解錠を行なう制御手段５とを備えている。【選択図】図１
2004227024.tif 000002
【特許請求の範囲】
【請求項１】
人が出入りする扉のロック装置と、このロック装置をキーの情報に基づき解錠する解錠手段と、前記扉の近傍に外部に露出しないように設けられキーの情報を読み取る情報読取センサと、このキーの情報の読み取りに基づき前記解錠手段を制御して前記ロック装置の解錠を行なう制御手段とを備えることを特徴とする防犯システム。
【請求項２】
人が出入りする扉のロック装置と、このロック装置をキーの情報に基づき施解錠する施解錠手段と、前記扉の近傍に外部に露出しないように設けられキーの情報を読み取る情報読取センサと、このキーの情報の読み取りに基づき前記施解錠手段を制御して前記ロック装置の施解錠を行なう制御手段とを備えることを特徴とする防犯システム。
【請求項３】
前記情報読取センサは、ガードボックスに格納して設けることを特徴とする請求項１または請求項２に記載の防犯システム。
【請求項４】
前記情報読取センサとは別に、前記キーのＩＤ番号の登録、抹消を行なう登録抹消センサを備えることを特徴とする請求項１または請求項２に記載の防犯システム。
【請求項５】
前記情報読取センサとは別に、前記ロック装置の作動状態を確認する作動状態確認手段を備えることを特徴とする請求項１乃至請求項４のいずれか１項に記載の防犯システム。
【発明の詳細な説明】
【０００１】
【発明の属する技術分野】
この発明は、建物等の防犯対策に有効な防犯システムに関する。
【０００２】
【従来の技術】
このような建物等の防犯対策に用いられる防犯システムとして、例えばＩＣチップを埋め込んだＩＣカードを、カードリーダにかざすことにより、建物の人が出入りする扉の電気錠、電磁錠などのロック装置を施錠したり、解錠するものがある（例えば、特許文献１）。
【０００３】
【特許文献１】
特開平６−１６７１４５号公報  （第１−６頁、第１−６図）
【０００４】
【発明が解決しようとする課題】
ところで、このような防犯システムでは、例えば図２０に示すように、カードリーダが玄関等の壁面などに露出して設置してあり、カードリーダが露出しているために、扉の施錠状態が万人にわかってしまうというセキュリティー上の欠点があった。
【０００５】
すなわち、カードリーダが露出しているために、外力によりカードリーダが破壊されることによる防犯システムの崩壊の危険性があった。また、壁面などのカードリーダが露出して存在することにより、様々な建築デザイン上の制約があった。
【０００６】
この発明は、かかる実情に鑑みてなされたもので、外部から防犯システムの存在がわからず破壊されることがなく、信頼性を格段に向上し、しかも建築デザイン上の制約がない防犯システムを提供することを目的としている。
【０００７】
【課題を解決するための手段】
前記課題を解決し、かつ目的を達成するために、この発明は、以下のように構成した。
【０００８】
請求項１に記載の発明は、人が出入りする扉のロック装置と、このロック装置をキーの情報に基づき解錠する解錠手段と、前記扉の近傍に外部に露出しないように設けられキーの情報を読み取る情報読取センサと、このキーの情報の読み取りに基づき前記解錠手段を制御して前記ロック装置の解錠を行なう制御手段とを備えることを特徴とする防犯システムである。
【０００９】
この請求項１に記載の発明によれば、人が出入りする扉の近傍に情報読取センサが、外部に露出しないように設けられており、この情報読取センサによりキーの情報を読み取ることでロック装置の解錠を行なうことができ、外部から防犯システムの存在がわからず破壊されることがなくなり、システム自体の信頼性が格段に向上し、また情報読取センサを外部に露出しないようにしたため、建築デザイン性が格段に向上する。
【００１０】
請求項２に記載の発明は、人が出入りする扉のロック装置と、このロック装置をキーの情報に基づき施解錠する施解錠手段と、前記扉の近傍に外部に露出しないように設けられキーの情報を読み取る情報読取センサと、このキーの情報の読み取りに基づき前記施解錠手段を制御して前記ロック装置の施解錠を行なう制御手段とを備えることを特徴とする防犯システムである。
【００１１】
この請求項２に記載の発明によれば、人が出入りする扉の近傍に情報読取センサが、外部に露出しないように設けられており、この情報読取センサによりキーの情報を読み取ることでロック装置の施解錠を行なうことができ、外部から防犯システムの存在がわからず破壊されることがなくなり、システム自体の信頼性が格段に向上し、また情報読取センサを外部に露出しないようにしたため、建築デザイン性が格段に向上する。
【００１２】
請求項３に記載の発明は、前記情報読取センサは、ガードボックスに格納して設けることを特徴とする請求項１または請求項２に記載の防犯システムである。
【００１３】
この請求項３に記載の発明によれば、情報読取センサがガードボックスに格納して設けられており、例えば表面にタイルやレンガなどの障害物を貼って埋め込んで設けることができ、しかもタイルやレンガ等の障害物で覆っても、キーの情報を読み取ることができる。
【００１４】
請求項４に記載の発明は、前記情報読取センサとは別に、前記キーのＩＤ番号の登録、抹消を行なう登録抹消センサを備えることを特徴とする請求項１または請求項２に記載の防犯システムである。
【００１５】
この請求項４に記載の発明によれば、例えばキーの紛失に備え、あるいは紛失した場合等に、新たなキーのＩＤ番号の登録、抹消の作業を登録抹消センサに備えられる表示部の点灯等で確認して行なうことができる。
【００１６】
請求項５に記載の発明は、前記情報読取センサとは別に、前記ロック装置の作動状態を確認する作動状態確認手段を備えることを特徴とする請求項１乃至請求項４のいずれか１項に記載の防犯システムである。
【００１７】
この請求項５に記載の発明によれば、作動状態確認手段の信号、光、機械音、音声等によりロック装置の作動状態を確認することができる。
【００１８】
【発明の実施の形態】
以下、この発明の防犯システムの実施の形態を、図面に基づいて詳細に説明するが、この発明は、この実施の形態に限定されない。
【００１９】
図１は防犯システムの概略構成図、図２は防犯システムの配置を示す図である。この実施の形態の防犯システム１は、ロック装置２と、施解錠手段３と、情報読取センサ４と、制御手段５を備えている。この防犯システム１は、マンション等の集合住宅、戸建て住宅、オフィスビルや商業ビル、病院、ホテル、寮、老人ホーム、研究所、工場等に適用することができる。
【００２０】
ロック装置２は、人が出入りする開口部１０の扉１１をロックする錠である。扉１１を閉じてロック装置２が施錠されていない状態で、キー６から送られるキーの情報を情報読取センサ４が読み取ると、制御手段５はキーの情報の読み取りに基づき施解錠手段３を制御し、この施解錠手段３を介してロック装置２が施錠される。
【００２１】
また、ロック装置２が施錠された状態で、キー６から送られるキーの情報を情報読取センサ４が読み取ると、制御手段５はキーの情報の読み取りに基づき施解錠手段３を制御し、この施解錠手段３を介してロック装置２が解錠される。
【００２２】
情報読取センサ４は、開口部１０の近傍の構造物等に外部に露出しないように埋め込んで設けられており、この情報読取センサ４はキー６をかざすと、情報読取センサ４から質問電波が送られ、キー６のＩＣタグ６ａから応答電波が送られてキーの情報を読み取る。
【００２３】
制御手段５は、情報読取センサ４からのキーの情報に基づき、施解錠手段３を介してロック装置２を施錠または解錠する制御を行なう。
【００２４】
このように、制御手段５は、施解錠手段３を制御してロック装置２を施錠し、または解錠するが、この制御手段５は、外部から見えないように、図２に示すように、室内側に配置される制御ボックス３０内に配置されている。
【００２５】
この防犯システム１では、人が出入りする開口部１０の近傍に情報読取センサ４が、外部に露出しないように埋め込まれており、キー６を持っている人が開口部１０に近付き、キー６をかざすことにより情報読取センサ４がキーの情報を読み取る。このキーの情報により制御手段５は、施解錠手段３を制御してロック装置２を施錠または解錠する。
【００２６】
ところで、キー６を持っていない人は、情報読取センサ４があるかないかわからず、ロック装置２を施錠または解錠することができないばかりでなく、情報読取センサ４もあるかないかがわからない。従って、外部から防犯システムの存在がわからず破壊されることがなく、システム自体の信頼性が格段に向上する。また、情報読取センサ４を埋め込みにしたことに伴い、外部に露出しないため建築デザイン性が格段に向上する。
【００２７】
また、制御ボックス３０内には、登録抹消センサ７及び作動状態確認手段８が配置されている。情報読取センサ４が外部に露出しないように埋め込まれているため、情報読取センサ４によってキーの登録、抹消の作業の確認ができなくなるため、登録抹消センサ７を情報読取センサ４とは別に備えている。
【００２８】
この登録抹消センサ７は、ＬＥＤ等の表示部を有し、キー６のキーのＩＤ番号の登録、抹消を行なうことができる。例えばキーの紛失に備え、あるいは紛失した場合等に、新たなキーのＩＤ番号の登録、抹消の作業を、登録抹消センサ７の表示部の点灯等で確認して行なうことができる。
【００２９】
また、作動状態確認手段８が情報読取センサ４とは別に備えられている。この作動状態確認手段８は、例えばインターホンや室内の制御ボックス、電話、携帯電話、ポケットベル、パソコン等に、信号、光、機械音、音声等を発するように設けられ、これによりロック装置２の作動状態を確認することができる。このように、情報読取センサ４が埋め込まれたことにより、ロック装置２の作動状態を知らせる手段が外部から見えなくなって確認できなくなるため、信号、光、機械音、音声等により防犯システムの作動状態を確認することができる。
【００３０】
次に、この実施の形態の防犯システムを従来の防犯システムと比較して説明する。
【００３１】
この実施の形態の防犯システムの構成を図３に示す。この実施の形態の防犯システムでは、図３（ａ）に示すように、情報読取センサ４が制御盤３１とは別体であり、制御盤３１には制御手段５、施解錠手段３、登録抹消センサ７及び作動状態確認手段８が設けられる。情報読取センサ４が外部に露出しないように設けられる。
【００３２】
この実施の形態の防犯システムでは、図３（ｂ）に示すように、キー６のキーの情報を情報読取センサ４で読み取り、制御手段５で施解錠手段３を制御してロック装置２を施錠し、または解錠する（Ｓ１０）。また、作動状態確認手段８が、例えばインターホンや室内の制御ボックス等に、信号、光、機械音、音声等を発し、これによりロック装置２の作動状態を確認することができる（Ｓ１１）。
【００３３】
また、登録抹消センサ７では、例えばキーの紛失に備え、あるいは紛失した場合等に、新たなキーのＩＤ番号の登録、抹消の作業を行なうことができる（Ｓ１２）。
【００３４】
また、制御手段５ではロック装置２の施解錠に異常があると、この異常警報を行なう（Ｓ１３）。例えば、ＩＰカメラでの録画、警備会社への通報、電話連絡、携帯電話連絡、ポケットベル連絡、管理人へ連絡、ブザー警報、パソコン表示等を行なう（Ｓ１４）。この電話、携帯電話、パソコン等では、ロック装置２の施解錠の情報を制御手段５へ送り、ロック装置２の施錠または解錠を行なうことができる。
【００３５】
従来の防犯システムの構成を図４に示す。この従来の形態の防犯システムでは、図４（ａ）に示すように、カードリーダ１００が制御盤１０１とは別体であり、カードリーダ１００に情報読取センサ１１０や登録抹消センサ１１１及び作動状態確認手段１１２が設けられ、制御盤１０１には制御手段１２０、施解錠手段１２１が設けられる。カードリーダ１００が外部に露出する場所に設けられる。
【００３６】
この実施の形態の防犯システムは、情報読取センサ４が外部に露出しないように設けられ、外部から防犯システムの存在がわからず破壊されることがなく、信頼性を格段に向上し、しかも建築デザイン上の制約がない。
【００３７】
図５は他の実施の形態の防犯システムの構成図である。他の実施の形態の防犯システムは、扉１１が閉じるとロック装置２が自動的にロックされる。
【００３８】
ロック装置２が施錠された状態で、キー６から送られるキーの情報を情報読取センサ４が読み取ると、制御手段５はキーの情報の読み取りに基づき解錠手段３００を制御し、この解錠手段３００を介してロック装置２が解錠される。
【００３９】
次に、情報読取センサ４の埋め込みの実施の形態を、図６乃至図１５に基づいて説明する。
【００４０】
情報読取センサ４は、図６に示すように、ガードボックス４０に格納され、このガードボックス４０は、他の製品と電気的に絶縁するために、専用のプラスチックボックスで構成される。また、情報読取センサ４をガードするなど機能を分析し工夫することにより、強度や耐水性を有する専用のプラスチックボックスに格納して壁埋め込みに耐えられるようにガードし、壁や構造物、家具類、設備機器等への埋め込みを等を可能にしたものである。
【００４１】
このガードボックス４０に格納した情報読取センサ４は、図７乃至１７に示すように取り付けられる。
【００４２】
図７の実施の形態では、壁５０内に情報読取センサ４を埋め込んでおり、壁５０は例えばタイルやレンガなどの障害物を貼って設けているが、このタイルやレンガ等の障害物で覆っても、キー６からのキーの情報を読み取ることができる。
【００４３】
図８の実施の形態では、壁５０に設けられるランプ５１、表札５２、インターホン５３、新聞受５４等に情報読取センサ４を埋め込んで設け、あるいは鏡５５に情報読取センサ４を埋め込んで設けることができる。また、扉１１、ドア枠１１ａに情報読取センサ４を埋め込んで設ける。
【００４４】
図９の実施の形態では、壁５０の壁面に設けられる玄関パネル５６に情報読取センサ４を埋め込んで設ける。玄関パネル５６には、ランプ５１、表札５２、インターホン５３、新聞受５４が設けられる。
【００４５】
図１０の実施の形態では、独立型の総合玄関パネル塔５７に情報読取センサ４を埋め込んで設ける。
【００４６】
図１１の実施の形態では、門扉５８に情報読取センサ４を埋め込んで設ける。
【００４７】
図１２の実施の形態では、壁５０に情報読取センサ４を埋め込んで設ける。
【００４８】
図１３の実施の形態では、家具５９に情報読取センサ４を埋め込んで設ける。
【００４９】
図１４の実施の形態では、壁５０に情報読取センサ４を多数埋め込んで設け、日あるいは時間によって利用可能な情報読取センサ４が替わるようにすると、情報読取センサ４の位置がより一層わからなくなり、外部から防犯システムの存在がわからず破壊されることがなく、信頼性を格段に向上する。
【００５０】
図１５の実施の形態では、天井６０に情報読取センサ４を埋め込んで設ける。また、天井６０に設けられるスピーカー６１、照明器具６２、換気扇６３、エアコン等の空調機の換気扇６４等に情報読取センサ４を埋め込んで設ける。
【００５１】
この実施の形態では、図１６に示すように、制御ボックス３０内に、制御手段５、登録抹消センサ７が配置され、制御ボックス３０の表面には、ＬＥＤ７ａ、ＬＥＤ８ａ，ＬＥＤ８ｂが設けられている。登録抹消センサ７の作動は、ＬＥＤ７ａが示し、このＬＥＤ７ａの点灯で新たなキーのＩＤ番号の登録、抹消の作業を確認して行なうことができる。
【００５２】
また、ロック装置２の解錠状態をＬＥＤ８ａが示し、ロック状態をＬＥＤ８ｂが示し、室内側からロック装置２の施錠状態を確認することができる。すなわち、室内側からロック装置２がロックされているか否かがわからず、不安になるが室内側からＬＥＤ８ａ，ＬＥＤ８ｂを見ることで、ロック装置２の施錠状態を確認することができ、便利である。
【００５３】
また、図１７に示すように、制御ボックス３０に、警報ランプ９ａ、警報ブザー９ｂが設けられ、インターネット、ＬＡＮ、携帯電話によって施錠または解錠が可能であり、ロック装置２に異常があれば警報ランプ９ａ、警報ブザー９ｂで警報される。
【００５４】
図１８は室内側の制御ボックス３０及び施解錠ボタンや人感センサ７０の配置を示す。ロック装置２の施錠確認ランプは、施解錠ボタンと一体にしてもよい。
【００５５】
次に、この実施の形態の防犯システム１に用いられるキー６を図１９に示す。図１９（ａ）はキー６がカードキーであり、キーの情報を応答するためのＩＣタグ６ａが設けられている。図１９（ｂ），（ｃ）はキー６がキーホルダであり、キーの情報を応答するためのＩＣタグ６ａが設けられている。
【００５６】
この防犯システム１をマンション等の集合住宅、戸建て住宅、老人ホーム、病院、工場、倉庫、事務所、店舗、ホテル、寮等に適用する場合の情報読取センサ４の埋め込む場所を表１に示す。
表１
2004227024.tif 000003
【００５７】
【発明の効果】
前記したように、請求項１に記載の発明では、人が出入りする扉の近傍に情報読取センサが、外部に露出しないように設けられており、この情報読取センサによりキーの情報を読み取ることでロック装置の解錠を行なうことができ、外部から防犯システムの存在がわからず破壊されることがなくなり、システム自体の信頼性が格段に向上し、また情報読取センサを外部に露出しないようにしたため、建築デザイン性が格段に向上する。
【００５８】
請求項２に記載の発明では、人が出入りする扉の近傍に情報読取センサが、外部に露出しないように設けられており、この情報読取センサによりキーの情報を読み取ることでロック装置の施解錠を行なうことができ、外部から防犯システムの存在がわからず破壊されることがなくなり、システム自体の信頼性が格段に向上し、また情報読取センサを外部に露出しないようにしたため、建築デザイン性が格段に向上する。
【００５９】
請求項３に記載の発明では、情報読取センサがガードボックスに格納して設けられており、例えば表面にタイルやレンガなどの障害物を貼って埋め込んで設けることができ、しかもタイルやレンガ等の障害物で覆っても、キーの情報を読み取ることができる。
【００６０】
請求項４に記載の発明では、例えばキーの紛失に備え、あるいは紛失した場合等に、新たなキーのＩＤ番号の登録、抹消の作業を登録抹消センサに備えられる表示部の点灯等で確認して行なうことができる。
【００６１】
請求項５に記載の発明では、作動状態確認手段の信号、光、機械音、音声等によりロック装置の作動状態を確認することができる。
【００６２】
【図面の簡単な説明】
【００６３】
【図１】防犯システムの概略構成図である。
【００６４】
【図２】防犯システムの配置を示す図である。
【００６５】
【図３】実施の形態の防犯システムの構成を示す図である。
【００６６】
【図４】従来の防犯システムの構成を示す図である。
【００６７】
【図５】他の実施の形態の防犯システムの概略構成図である。
【００６８】
【図６】情報読取センサの格納を示す図である。
【００６９】
【図７】情報読取センサの埋め込みの実施の形態を示す図である。
【００７０】
【図８】情報読取センサの埋め込みの実施の形態を示す図である。
【００７１】
【図９】情報読取センサの埋め込みの実施の形態を示す図である。
【００７２】
【図１０】情報読取センサの埋め込みの実施の形態を示す図である。
【００７３】
【図１１】情報読取センサの埋め込みの実施の形態を示す図である。
【００７４】
【図１２】情報読取センサの埋め込みの実施の形態を示す図である。
【００７５】
【図１３】情報読取センサの埋め込みの実施の形態を示す図である。
【００７６】
【図１４】情報読取センサの埋め込みの実施の形態を示す図である。
【００７７】
【図１５】情報読取センサの埋め込みの実施の形態を示す図である。
【００７８】
【図１６】制御ボックスの正面図である。
【００７９】
【図１７】異常ランプ、異常ブザーを配置した制御ボックスの正面図である。
【００８０】
【図１８】室内側の制御ボックス等の配置を示す図である。
【００８１】
【図１９】キーの実施の形態を示す図である。
【００８２】
【図２０】従来のカードリーダの設置状態を示す図である。
【００８３】
【符号の説明】
１  防犯システム
２  ロック装置
３  施解錠手段
４  情報読取センサ
５  制御手段
６  キー
１１  扉
３００  解錠手段
【図１】
2004227024.tif 000004
【図２】
2004227024.tif 000005
【図３】
2004227024.tif 000006
【図４】
2004227024.tif 000007
【図５】
2004227024.tif 000008
【図６】
2004227024.tif 000009
【図７】
2004227024.tif 000010
【図８】
2004227024.tif 000011
【図９】
2004227024.tif 000012
【図１０】
2004227024.tif 000013
【図１１】
2004227024.tif 000014
【図１２】
2004227024.tif 000015
【図１３】
2004227024.tif 000016
【図１４】
2004227024.tif 000017
【図１５】
2004227024.tif 000018
【図１６】
2004227024.tif 000019
【図１７】
2004227024.tif 000020
【図１８】
2004227024.tif 000021
【図１９】
2004227024.tif 000022
【図２０】
2004227024.tif 000023